(57)【要約】【課題】カルボキシルメチルセルロールを含む薬液が担持された水解性シートの製造方法を提供する。【解決手段】  カルボキシメチルセルロールを含む薬液が担持された水解性シートの製造方法であって、一つのバックアップロールに対して対になる二つの刷版ロールと、各刷版ロールと対になるアニロックロールと、各アニロックスロールに対して薬液を付与するドクターチャンバー、もしくは／および、ディップロールを備える転写設備により、前記バックアップロールに巻き掛かりながら搬送される連続乾燥原紙に対して、各刷版ロールから連続的に二段階で薬液を付与する水解性シートの製造方法により解決される。【選択図】図１
2010236161.tif 000002
【特許請求の範囲】
【請求項１】
カルボキシメチルセルロールを含む薬液が担持された水解性シートの製造方法であって、
この製造方法は、抄造された原紙を巻取った原反ロールから繰り出される連続乾燥原紙に対して前記薬液を付与する薬液付与工程と、薬液が付与された原紙を乾燥させる乾燥工程と、乾燥された原紙を巻取る巻き取り工程とを有し、
前記薬液付与工程が、
一つのバックアップロールに対して対になる二つの刷版ロールと、各刷版ロールと対になるアニロックスロールと、各アニロックスロールに対して薬液を付与するドクターチャンバーを備える転写設備、もしくは、
一つのバックアップロールに対して対になる二つの刷版ロールと、各刷版ロールと対になるアニロックロールと、各アニロックスロールに対して薬液を付与するディップロールと、ディップロールに薬液を付与するパンを備える転写設備、もしくは
一つのバックアップロールに対して対になる、上記２方式の組み合わせによる、
前記バックアップロールに巻き掛かりながら搬送される連続乾燥原紙に対して、各刷版ロールから連続的に二段階で薬液を付与する転写工程を含む、
ことを特徴とする水解性シートの製造方法。
【請求項２】
前記乾燥工程は、薬液が付与された連続紙に対して、赤外線を照射して乾燥する工程である、請求項１記載の水解性シートの製造方法。
【請求項３】
前記刷版ロールを網点のないベタ版仕様とし、刷版ロールに薬液を付与するアニロックロールを線数が７０〜１２０線／インチ、セル容量３０〜６５ｍｌ／ｍ2の仕様とする、請求項１又は２記載の水解性シートの製造方法。
【請求項４】
連続乾燥原紙が、坪量を２５〜６０ｇ／ｍ2のクレープ紙である請求項１〜３の何れか１項に記載の水解性シートの製造方法。
【発明の詳細な説明】
【技術分野】
【０００１】
本発明は、トイレなどの清掃用途に用いられる予め洗浄剤が含浸された拭き取りシート及び、拭き取りシートの基剤紙となる水解性シートの製造方法に関するものである。
【背景技術】
【０００２】
トイレの清掃には、旧来、繰り返し使用される織布製の雑巾等が使われてきたが、これに替わって、近年、紙製の使い捨ての拭き取りシートが使用されるようになってきている。そして、この種の拭き取りシートは、洗浄剤が含浸された状態で提供され、また使用後にトイレに流して処理可能とされるものが好まれる。
かかる拭き取りシートにおいては、洗浄剤が含浸された状態において拭き取り作業時に破れない湿潤時の紙力と、トイレ等に流した際に配管等に詰まらない程度の水解性を確保することが求められるところであるが、これを効果的に達成する一つの技術として、その基材紙としてカルボキシメチルセルロース（以下、ＣＭＣと記述する）を含む薬液と金属イオンとを担持させた水解性シートを用いることが知られている。
しかし、このＣＭＣ等を担持させた水解性シートの製造は、従来、湿紙をワイヤーにて搬送する抄紙設備で行なわれている。ＣＭＣ等をワイヤー搬送される湿紙に対して散布し、その後に当該湿紙を乾燥させるのである。特に、２つの乾燥工程を有する抄紙設備が好適に採用され、中でも１つ目の乾燥工程にＴＡＤ方式を用いたものが特に好適であるとされている。
これは、２つの乾燥工程を持つ抄紙設備は１つ目の乾燥により湿紙の水分含有量が、極めて少なくなるため、２つ目の乾燥工程の前に薬液を外添した場合、薬液の歩留が比較的高くでき、また、ワイヤー等の用具に付着した薬液の清掃も比較的簡易に可能だからである。
【０００３】
これに対して、湿紙の搬送をワイヤーではなく、フェルトにて行なう抄紙設備においては、湿紙の搬送過程における脱水効率が低く、さらにフェルトが湿紙中に含まれるＣＭＣ等を吸収するためＣＭＣ等の歩留が悪くなるため、また、搬送にフェルトを採用したものでは、フェルト自体の汚染を招き、地合形成の不良による操業性の悪化を招くおそれがあるため、用具の洗浄が頻繁に必要とされるので、フェルトにて湿紙を搬送する抄紙設備においては、ＣＭＣ等を担持させた所望の水解性シートを製造するのが極めて困難であった。
しかし、湿紙を搬送するのにフェルトを用いた抄紙設備は、得られる紙は比較的低米坪でも良好な地合が得られるなどの利点があるとともに、極めて一般的な設備で、現在、稼動台数も多い設備である。そして、２つ以上のドライヤーを備えた抄紙設備は、ＣＭＣ等を担持させたシートにおいて上記利点はあるものの、一般的な点で設備コスト、エネルギーコストが大きくなり、メンテンナンスに時間がかかる等の欠点もある。
【先行技術文献】
【特許文献】
【０００４】
【特許文献１】特開２００８−１９４６３５号公報
【特許文献２】特許第４０９７５８３号
【発明の概要】
【発明が解決しようとする課題】
【０００５】
そこで、本発明の主たる課題は、抄紙設備に関わらず、ＣＭＣを含む薬液を担持させた水解性シートを製造可能とする技術及びこの水解性シートを用いた拭き取り用シートの製造技術を提供することにある。
【課題を解決するための手段】
【０００６】
次に、上記課題を解決するための手段とそれらの作用効果は以下にとおりである。
＜請求項１記載の発明＞
カルボキシメチルセルロールを含む薬液が担持された水解性シートの製造方法であって、この製造方法は、抄造された原紙を巻取った原反ロールから繰り出される連続乾燥原紙に対して前記薬液を付与する薬液付与工程と、薬液が付与された原紙を乾燥させる乾燥工程と、乾燥された原紙を巻取る巻き取り工程とを有し、
前記薬液付与工程が、
一つのバックアップロールに対して対になる二つの刷版ロールと、各刷版ロールと対になるアニロックスロールと、各アニロックスロールに対して薬液を付与するドクターチャンバーを備える転写設備、もしくは、
一つのバックアップロールに対して対になる二つの刷版ロールと、各刷版ロールと対になるアニロックロールと、各アニロックスロールに対して薬液を付与するディップロールと、ディップロールに薬液を付与するパンを備える転写設備、もしくは
一つのバックアップロールに対して対になる、上記２方式の組み合わせによる、
前記バックアップロールに巻き掛かりながら搬送される連続乾燥原紙に対して、各刷版ロールから連続的に二段階で薬液を付与するロール転写工程を含む、
ことを特徴とする水解性シートの製造方法。
【０００７】
＜請求項２記載の発明＞  
前記乾燥工程は、薬液が付与された連続紙に対して、赤外線を照射して乾燥する工程である、請求項１記載の水解性シートの製造方法。
【０００８】
＜請求項３記載の発明＞
前記刷版ロールを網点のないベタ版仕様とし、刷版ロールに薬液を付与するアニロックロールを線数が７０〜１２０線／インチ、セル容量３０〜６５ｍｌ／ｍ2の仕様とする、請求項１又は２記載の水解性シートの製造方法。
【０００９】
＜請求項４記載の発明＞
連続乾燥原紙が、坪量を２５〜６０ｇ／ｍ2のクレープ紙である請求項１〜３の何れか１項に記載の水解性シートの製造方法。
【００１０】
（作用効果）
カルボキシルメチルセルロースを含む薬液を、水解性シートとして使用するに十分な量を乾燥原紙に対して付与することは極めて困難なことである。特に、背景技術で示した、二段階の乾燥工程を持ち、前段の乾燥工程の後、つまり後段の乾燥工程の前に湿紙に対して薬液を付与する方法により製造される水解性シートと同等以上の品質のものを乾燥原紙から製造することは極めて難しいことであった。
これは、乾燥原紙に対して付与する場合、例えば、単なるスプレー転写では、均一に転写することが困難であり、また、単なるロール転写では、所望量の薬液を担持させることが困難であるからである。
【００１１】
特に、単なるロール転写では、所望量の薬液を付与するためには、極めて高濃度の薬液が必要となり、かかる薬液は粘度が高くなるためにロール転写で均一転写することができない。また、粘度を低くするために濃度を低くすれば、上述のとおり所望の付与量とすることができない。
このように乾燥原紙に対して薬液を付与することが極めて困難なことであった。
【００１２】
そこで、本発明では、一つのバックアップロールに対して対になる二つの刷版ロールと、各刷版ロールと対になるアニロックロールと、各アニロックスロールに対して薬液を付与するドクターチャンバーを備える転写設備（以下、ドクターチャンバー方式）、もしくは／および、一つのバックアップロールに対して対になる二つの刷版ロールと、各刷版ロールと対になるアニロックロールと、各アニロックスロールに対して薬液を付与するディップロールと、ディップロールに薬液を付与するパンを備える転写設備（以下、３ロール方式）を用い、これにより、薬液を付与することとした。
【００１３】
本発明では、一つのバックアップロールに対して対となる刷版ロールを設けたことにより、各刷版ロールにおける付与量が少なくとも、合計量において十分な量の薬液を乾燥原紙に対して付与できる。また、バックアップロールが一つであることにより、極めて均一に付与できる。これは、バックアップロールが一つであることで、最初の刷版ロールから次の刷版ロールまでの間の張力が極めて安定して一定であることから、二つの刷版ロールで二段階付与しても、連続原紙に対して極めて均一に薬液を付与することができるのである。また、二つの刷版ロールの間隔が短くなることから、最初の刷版ロールで薬液が付与された後、直ちに次の刷版ロールでの付与がなされことからも、付与ムラなく均一転写ができるのである。このような効果は、単に、バックアップロールと刷版ロールを一対二段にしただけでは得ることはできない。
【００１４】
また、本発明では、より好ましくはドクターチャンバー方式で薬液を付与する方が、３ロール方式より幅方向でより均一に安定して薬液を転写できるため好ましい。
さらに、本発明においては、薬液が付与された連続紙を乾燥させる乾燥工程を有する。この乾燥工程は、連続紙に直接的に接触しない間接乾燥が望ましく、特に赤外線照射によるものが望ましい。間接乾燥の場合には皺の発生が抑制される。特に、赤外線照射によるものとすると、紙面各所の乾燥が均一に生ずるので、乾燥時における皺や歪みなどの発生が効果的に防止できる。
【００１５】
他方、本発明では、好ましく、転写ロール設備における各刷版ロールをベタ仕様とし、アニロックスロールの線数を７０〜１２０線／インチ、セル容量３０〜６５ｍｌ／ｍ2のものとする。これにより、薬液をより効果的に乾燥原紙に付与することができる。
【００１６】
また、本発明においては、乾燥原紙を坪量２５〜６０ｇ／ｍ2のものとすると極めて高品質、特に強度面、水解性面において優れた水解性シートが製造される。
さらに、上記説明の水解性シートに対して多価の金属陽イオンを含む洗浄剤を、原紙重量の１００〜２００重量％含浸させると、ＣＭＣと金属陽イオンとの作用によって、拭き取り性能に優れ、しかも、水解性に優れる拭き取りシートが製造される。
【発明の効果】
【００１７】
以上のことから明らかなとおり、本発明によれば、乾燥連続原紙に対して薬液を付与するので湿紙を製造する工程にかかる抄紙設備に依存せず、どのような抄紙設備であっても、カルボキシルメチルセルロースを含む薬液を担持させた水解性シートを製造することができる。また、水解性、拭き取り性に優れた拭き取りシートを製造することができる。
【図面の簡単な説明】
【００１８】
【図１】本発明に係る水解性シートの製造方法を模式的に示した図である。
【発明を実施するための形態】
【００１９】
次いで、本発明に係る水解性シートの製造方法の実施形態を、図１に示される水解性シートの製造設備例Ｘ１を参照ながら詳述する。
本発明のカルボキシメチルセルロールを含む薬液が担持された水解性シートの製造方法では、抄造された原紙を巻取った原反ロール１から繰り出される連続乾燥原紙１Ａに対して前記薬液を付与する薬液付与工程と、薬液が付与された原紙を乾燥させる乾燥工程と、乾燥された原紙を巻取る巻き取り工程とを有する。
【００２０】
〔連続乾燥原紙〕
まず、連続乾燥原紙１Ａについて説明する。本発明においては、乾燥連続原紙１Ａは、例えば、既知のパルプ繊維等を主原料とする抄紙原料を抄造してなる薄葉紙、クレープ紙が好適に用いられる。
この乾燥連続原紙１Ａの抄造工程は本発明では限定されるものではない。既知の抄造設備、抄造方法により製造できる。好適には、湿紙の搬送にフェルトを用い、一つのヤンキードライヤーを有する設備である。地合の良い連続乾燥原紙が得られる。
【００２１】
なお、連続乾燥原紙の原料は特に限定されないが、既知のバージンパルプ、古紙パルプなどを利用できる。少なくともパルプを含むものであるのが望ましい。ＣＭＣの定着、後述する洗浄剤とＣＭＣとの作用が効果的に発揮される。原料となるパルプは、特にＬＢＫＰとＮＢＫＰを適宜の割合で配合したものが適する。
なお、連続乾燥原紙としては、パルプ繊維以外の繊維として、レーヨン繊維や合成繊維などが含有されていてもよい。
【００２２】
原反ロール１の幅は、１００〜５００ｃｍであるのが望ましい。１００ｃｍ未満であると製造効率が悪く、５００ｃｍを超えると後述するロール転写にて均一に薬液を付与することが困難となる。
【００２３】
この連続乾燥原紙１Ａの物性としては、好適には、坪量が２５〜６０ｇ／ｍ2、紙厚さが１６０〜２５０μｍ程度である。所謂プライ数などは特に限定されない。
【００２４】
なお、坪量は、ＪＩＳ  Ｐ  ８１２４に基づくものである。また、各シートをプライ構造とする場合には、プライ全体としての坪量である。
【００２５】
また、紙厚は、ＪＩＳ Ｐ ８１１１の条件下で、ダイヤルシックネスゲージ（厚み測定器）「ＰＥＡＣＯＣＫ Ｇ型」（尾崎製作所製）を用いて測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。なお、紙厚は測定を１０回行って得られる平均値とする。また、各シートをプライ構造とする場合には、プライ全体としての紙厚とする。
【００２６】
〔薬液〕
次いで、本発明が対象とする薬液について説明する。本発明にかかる薬液は、カルボキシルメチルセルロールを含むものである。
この本発明にかかる薬液中におけるカルボキシルメチルセルロースの濃度としては、１．５〜２１重量％、好ましくは、２．０〜１５重量％とする。１．５〜２１重量％の範囲外では、本技術によって所望量を乾燥連続原紙に対して付与することが困難となる。
【００２７】
他方、ＣＭＣについては、そのエーテル化度が０．６〜２．０、特に０．９〜１．８、更に好ましくは１．０〜１．５であるのが望ましい。水解性と湿潤紙力の発現とが極めて良好となる。
【００２８】
ここで、本発明に用いる薬液については、ＣＭＣを含む薬液は、当該ＣＭＣに起因して低温等であると溶液粘度が高くなり薬液付与が困難になる傾向にあるため、乾燥連続原紙に付与するにあたって、撹拌、加熱により粘度を５００〜２５００ｍＰａ・ｓ以下、より好ましくは５００〜１５００ｍＰａ・ｓに調整したものとするのが望ましい。このため薬剤の転写時には、本発明の薬剤の温度は２０〜４０℃前後で塗布することが望ましい。４０℃超ではＣＭＣ溶液の粘度コントロールが難しく、またＣＭＣの劣化が速くなって連続操業に適さない。２０℃未満ではＣＭＣ濃度が低く所定のＣＭＣ塗布量が得られない。
【００２９】
また、ＣＭＣは、水膨潤性のものを用いることができる。これは、洗浄剤中の特定金属イオンの架橋により、未膨潤化のままシートを構成する繊維をつなぎとめる機能を発揮し、清掃・清拭作業に耐えうる拭き取りシートとしての強度を発現することができる。
【００３０】
薬液中のカルボキシルメチルセルロース以外の成分としては、ポリビニルアルコール、デンプンまたはその誘導体、ヒドロキシプロピルセルロース、アルギン酸ナトリウム、トラントガム、グアーガム、キサンタンガム、アラビアゴム、カラギーナン、ガラクトマンナン、ゼラチン、カゼイン、アルブミン、プルプラン、ポリエチレンオキシド、ビスコース、ポリビニルエチルエーテル、ポリアクリル酸ソーダ、ポリメタアクリル酸ソーダ、ポリアクリルアミド、ポリアクリル酸のヒドロキシル化誘導体、ポリビニルピロリドン／ビニルピロリドン酢酸ビニル共重合体等のバインダー成分が挙げられる。
【００３１】
水解性が良好となる点や後述する架橋反応により湿潤強度を発現しうる点からカルボキシル基を有する水溶性バインダーを用いることが好ましい。
カルボキシル基を有する水溶性バインダーは、水中で容易にカルボキシラートを生成するアニオン性の水溶性バインダーである。その例としては多糖誘導体、合成高分子、天然物が挙げられる。多糖誘導体としてはカルボキシメチルセルロースの塩、カルボキシエチルセルロース又はその塩、カルボキシメチル化デンブン又はその塩などが挙げられ、特にカルボキシメチルセルロースのアルカリ金属塩が好ましい。
【００３２】
合成高分子としては、不飽和カルボン酸の重合体又は共重合体の塩、不飽和カルボン酸と該不飽和カルボン酸と共重合可能な単量体との共重合体の塩などが挙げられる。不飽和カルボン酸としては、アクリル酸、メタクリル酸、イタコン酸、クロトン酸、無水マレイン酸、マレイン酸、フマール酸などが挙げられる。これらと共重合可能な単量体としては、これら不飽和カルボン酸のエステル、酢酸ビニル、エチレン、アクリルアミド、ビニルエーテルなどが挙げられる。特に好ましい合成高分子は、不飽和カルボン酸としてアクリル酸やメタクリル酸を用いたものであり、具体的にはポリアクリル酸、ポリメタクリル酸、アクリル酸メタクリル酸共重合体の塩、アクリル酸又はメタクリル酸とアクリル酸アルキル又はメタクリル酸アルキルとの共重合体の塩が挙げられる。天然物としては、アルギン酸ナトリウム、ザンサンガム、ジェランガム、タラガントガム、ペクチンなどが挙げられる。
【００３３】
また、本発明にかかる薬液には、ＣＭＣのパルプ繊維への歩留まりを向上させるために、カチオン性ポリマーを添加することができる。但し、カチオン性ポリマーの中には湿紙強度を向上させるものがあり、同時に水溶性も悪化する点には注意する。
【００３４】
〔薬液付与工程〕
（薬液付与）
次いで、本発明にかかる薬液付与工程ついて説明する。本発明の薬液付与工程は、原反ロール１から連続的に繰り出される連続乾燥原紙１Ａに対して、ドクターチャンバー方式、もしくは／および、３ロール方式の転写設備によって上述の薬液を付与する。以下にドクターチャンバー方式を例に説明する。（転写設備１１）
【００３５】
このドクターチャンバー方式による転写設備１１は、特に図１からも理解されるように、一つのバックアップロール１２に対して二つの刷版ロール１３，１３が上流側と下流側とに設けられている。
【００３６】
薬液塗布加工速度は９０〜３５０ｍ／分で操業が好ましい。９０ｍ／分未満では１段目と２段目の薬液転写の時間間隔が開きすぎて、シワが発生しやすい。逆に３５０ｍ／分以上では十分な転写量が得られなかったり、幅方向での塗布量のバラツキにより、湿潤強度や水解性にバラツキが生じる。
【００３７】
バックアップロールの直径は２５０〜４２０ｍｍが適当である。直径が２５０ｍｍ未満であると１段目の転写と２段目の転写の時間間隔が小さく、１段目の薬液を吸収しきれずに２段目の転写効率が低下する。直径が４２０ｍｍ超であると１段目の転写と２段目の転写の時間間隔が長く、湿紙が伸びてシワが入りやすい。
【００３８】
好ましいバックアップロールの径と加工速度は互いに相対的に決まるが、１段目の転写と２段目の転写の時間間隔を８０〜２００ｍｓ程度に設定することが好ましい。
【００３９】
各刷版ロール１３，１３には、これに薬液を受け渡すアニロックスロール１４，１４がそれぞれ設けられており、このアニロックスロール１４，１４に対しては、これに薬液を受け渡す付与するドクターチャンバー１５，１５が設けられている。
【００４０】
原反ロール１から繰り出された連続乾燥原紙１Ａは、適宜のガイドロール５，５…を介して、前記バックアップロール１２に巻き掛けられて、適宜の張力と表面の安定性が付与される。
【００４１】
そして、本発明では、このバックアップロール１２に巻きかけられた連続乾燥原紙１Ａに対して  まず、上流側の刷版ロール１３から薬液がロール転写され、さらに下流側の刷版ロール１３にて薬液がロール転写される。
ここで、各刷版ロール１３，１３は、凹溝のないベタ版仕様のものとし、連続乾燥原紙１Ａの全体に薬液をベタ印刷の如く付与する。
【００４２】
他方、刷版ロール１３，１３に薬液を受け渡すアニロックスロール１４，１４の線数及びセル容量は、薬液の濃度にもよるが、線数７０〜１２０線／インチ、セル容量３０〜６５ｍｌ／ｍ2とするのが望ましい。線数が７０線／インチ未満であると刷版ロール１３，１３に過度の薬液が受け渡され、結果的に連続乾燥原紙１Ａに対して刷版ロール１３，１３からムラを持って薬液が付与されるおそれが高まる。反対に、線数が１２０線／インチを超えると十分な量かつ刷版ロール１３，１３の周面全体に薬液を受け渡すことが困難となる。また、セル容量が３０ｍｌ／ｍ2未満であると十分な量の薬液を刷版ロール１３，１３に受け渡すことが困難となり、セル容量が６５ｍｌ／ｍ2を超えても歩留まりの悪化を招くだけである。
【００４３】
かくしてドクターチャンバー方式による転写により薬液が付与された連続原紙１Ｂは、後段の処理工程へと連続的に搬送される。
【００４４】
〔乾燥工程〕
前段の薬液付与工程において、薬液付与された連続原紙１Ｂは、次いで、乾燥設備２０において前記薬液中の不溶な液分を蒸発させて、有効成分、特にＣＭＣを繊維にたいして定着させる。乾燥設備２０としては、既知の連続原紙１Ｂに対して熱風を吹き付けて乾燥させるフード付きドライヤー設備が利用できる。
【００４５】
本発明においては、特に好ましくは、赤外線照射による乾燥設備である。連続原紙の搬送方向に複数の赤外線照射部２１，２１を並列して、搬送される連続原紙１Ｂに対して赤外線を照射して乾燥を行なう。この乾燥設備２０では、赤外線により水分が発熱し乾燥されるものであるため、熱風によるドライヤーと比較して、均一な乾燥が可能であり、後段の巻き取り工程においての皺の発生が防止できる。
【００４６】
ここで、赤外線照射の出力や照射部と連続原紙との離間距離は適宜の設計事項である。その外気温や湿紙に含まれる水分量、水分ムラの状態に応じて適宜調整する。乾燥後の水分率は５〜６％に調整する。
【００４７】
〔巻き取り工程〕
前記乾燥工程にて、乾燥され薬液の定着が図られて、連続水解性シート１Ｃとなったシートは、適宜のワインダー設備３０を用いて巻取る。巻き取り速度は、乾燥工程、３ロール転写及びスプレー転写による薬液付与工程を考慮して適宜定める。過度に早いとシートの破断が生じ、過度に遅いと皺が発生するので、これに留意する。
以上の、各工程を経ることにより、本発明の水解性シートが製造される。
【００４８】
〔拭き取りシート〕
次いで、本発明にかかる拭き取りシートについて説明する。本発明の拭き取りシートは、上述の各工程を経て製造された水解性シートに対して、水溶性洗浄剤を含浸させて製造される。
【００４９】
洗浄剤の含浸は、例えば、シートの連続的などぶ付け工程、洗浄剤のスプレー転写、適宜の方法により行なうことができる。この洗浄剤の含浸は、連続水解性シートに対して連続的に行なっても良いし、製品大きさに裁断後に含浸させてもよい。
【００５０】
ここで、本発明の拭き取りシートにおいては、水分の含浸量が、原紙重量の１００〜２００重量％であるのが望ましい、１００重量％未満であると洗浄性に劣るおそれがあり、２００重量％を超えて含浸させても、使用人にその量を保持することが困難で結果的にコストのみが高くなる。
【００５１】
（洗浄剤）
本発明にかかる水解性シートに対して含浸して拭き取り用シートとするための水性洗浄剤は、適宜の溶媒を用いることができる。
ここで、本発明にかかる洗浄剤中には、特徴的に多価の金属陽イオンが含有される。特にアルカリ土類金属、マンガン、亜鉛、コバルト及びニッケルからなる群から選択される１種又は２種以上の多価金属用イオンが含有されているのが望ましい。特には、二価の金属陽イオンが望ましく、特にカルシウム、ストロンチウム、バリウム、亜鉛、コバルト、ニッケルのイオンが適する。その中でもカルシウムイオンが望ましい。
【００５２】
かかる多価金属陽イオンが含有されていると、水解性シートに定着されたＣＭＣと作用によって架橋効果により、洗浄剤含浸時に繊維間が十分に結合されて使用に耐え得る湿潤強度が発現する。これは拭き取り操作時に十分な強度が発現されることを意味する。
そして、拭き取り操作後、トイレに流す際など多量の水に触れたときには、かかる架橋効果が減退して効果的な水解性を発現する。
【００５３】
多価金属用イオンは、水酸化物、塩化物、硫酸塩、硝酸塩、炭酸塩、ギ酸塩、酢酸塩などの水溶性金属塩の形で水性洗浄剤に含有することができる。
この多価金属用イオンは、薬液中に含有される成分中のカルボキシル基１モルに対して１／２モル以上、特に１／１モル以上の量となるように含有されるのがよい。十分な架橋反応が生じて十分な湿潤時の強度が発揮される。
【００５４】
以上、詳述の本発明の水解性シートは、抄紙設備に関わらず製造でき、しかもこれを素材とする拭き取りシートは湿潤時の強度が十分で、しかも効果的な水解性を有するものとなる。
【実施例】
【００５５】
次に、本発明に係る水解性シートの製造方法にかかる実施例を示し、本発明の作用効果を明らかにする。
表１に示す本発明に係る水解性シートの製造方法で製造された実施例１〜１４と、その他の水解性シートの製造方法で製造された比較例１〜６とについて、紙力及び水解性の測定を行った。各例にかかる製造方法の詳細、物性・組成の測定方法等は次記のとおりである。
米坪（ｇ／ｍ2）については、ＪＩＳ  Ｐ  ８１２４に基づいて測定した。
表紙厚（μｍ）については、尾崎製作所製ピーコックにより測定した。
湿潤紙力・縦（ｃＮ／２５ｍｍ）、湿潤紙力・横（ｃＮ／２５ｍｍ）、については、それぞれＪＩＳ  Ｐ  ８１３５に基づいて測定した。付与する洗浄液量は原紙重量の１７０％とした。
水解性（秒）については、ＪＩＳ  Ｐ  ４５０１のほぐれやすさの試験に準じて測定した。
湿潤紙力のばらつきは、製造設備の幅方向１５点にて試験を行い、その１５点の標準偏差の値を示した。
ＣＭＣについては、ダイセル化学工業株式会社製のＣＭＣダイセル１３３０の４重量％水溶液を使用した。
【００５６】
実施例１〜１４及び比較例１〜６共に、原紙については、針葉樹クラフトパルプと広葉樹クラフトパルプとの配合率が９：１とされたものを用い、紙料は水解性を持たせるため未叩解とした。  また、抄紙速度は、毎分２５０ｍの速度で行い、クレープ率が１５％となるよう調整した。なお、各例にかかる原紙の抄紙設備は、湿紙の搬送にフェルトを用いるものであり、また、一つのヤンキードライヤーを備える設備である。薬液塗布前の原紙の伸び率は１６％となった。原紙の水分は６％に調整した。
【００５７】
【表１】
2010236161.tif 000003
【００５８】
表１の結果から理解されるように、本発明に係る水解性シートの製造方法で製造された実施例１〜１４に係る水解性シートにかかる拭き取りシートは、紙力及び水解性に優れたものである。
【００５９】
以上、詳述のとおり、本発明によれば、従来の抄紙設備によらずとも、優れた水解性及び湿潤紙力を確保できる拭き取りシートの基紙となる水解性シートを製造することが可能である。
【符号の説明】
【００６０】
Ｘ１…水解性シート製造設備、１…原反ロール、１Ａ…原紙、５…ガイドロール、１１…薬液転写設備、１２…バックアップロール、１３…刷版ロール、１４…アニロックスロール、１５…ドクターチャンバー、１Ｂ…塗布後の原紙、２０…乾燥工程（乾燥設備）、１Ｃ…乾燥後の原紙、２１…赤外線照射部、３０…巻き取り工程（ワインダー設備）。
【図１】
2010236161.tif 000004